(57)【要約】【課題】組み立て方によって、種々の形態に変形できる折り畳み式テーブルを提供する。【解決手段】矩形の板材よりなる天板部２と、天板部２の対向する一組の辺のそれぞれに取り付けられた第一蝶番５１及び第二蝶番５３と、天板部２の一辺に第一蝶番５１によって回動可能に接続された矩形の板材よりなる土台部３と、天板部２の土台部３が接続された辺と対向する辺に第二蝶番５２によって回動可能に接続された矩形の板材よりなる脚部４とを備える机要素１１と、机要素１１同士を回動可能に接続するための部材である第三蝶番５３と、をそれぞれ複数備え、第三蝶番５３は、土台部３の第一蝶番５１が取り付けられている辺に直交する辺に取り付けられ、机要素１１同士は、天板部２同士、土台部３同士及び脚部４同士がそれぞれ一直線上に並ぶよう配された状態で、第三蝶番５３によって、回動可能に接続されるよう構成する。【選択図】図１
2018158061.tif 000002
【特許請求の範囲】
【請求項１】
矩形の板材よりなる天板部と、該天板部の対向する一組の辺のそれぞれに取り付けられた第一蝶番及び第二蝶番と、前記天板部の一辺に前記第一蝶番によって回動可能に接続された矩形の板材よりなる土台部と、前記天板部の前記土台部が接続された辺と対向する辺に前記第二蝶番によって回動可能に接続された矩形の板材よりなる脚部とを備える机要素と、
前記机要素同士を回動可能に接続するための部材である第三蝶番と、
をそれぞれ複数備え、
前記第三蝶番は、前記土台部の前記第一蝶番が取り付けられている辺に直交する辺に取り付けられ、
前記机要素同士は、前記天板部同士、前記土台部同士及び前記脚部同士がそれぞれ一直線上に並ぶよう配された状態で、前記第三蝶番によって、回動可能に接続されている折り畳み式テーブル。
【請求項２】
請求項１に記載の折り畳み式テーブルであって、さらに、
両端にネジをきった棒状の部材である両端ネジと、
該両端ネジのネジ部に螺合するナットと、
を備え、
前記土台部は、全て、前記両端ネジを挿入するための貫通孔である第一挿入孔を有することを特徴とする折り畳み式テーブル。
【請求項３】
請求項１又は請求項２に記載の折り畳み式テーブルであって、さらに、
柱状部材であって、その側面部は、互いに直交し隣接する２平面を有し、前記平面のそれぞれに凸状形状を有する土台補助材を備え、
前記土台部は、所定の厚みを有し、前記第三蝶番が取り付けられた辺及び前記第三蝶番が取り付けられた辺に平行な辺のそれぞれに対応する断面に、前記土台補助材の凸状形状に嵌合される凹状形状を有することを特徴とする折り畳み式テーブル。
【請求項４】
請求項１〜３のいずれか一に記載の折り畳み式テーブルであって、
前記天板部は、全て、合同な正方形の板材からなる第一天板部である折り畳み式テーブル。
【請求項５】
請求項１〜３のいずれか一に記載の折り畳み式テーブルであって、
前記天板部、土台部及び脚部を構成する板材は、全て、所定の厚みを有し、
前記天板部は、全て、第一蝶番又は第二蝶番が取り付けられている辺である横辺の長さが等しく、
前記天板部のうち少なくとも一つは、第一蝶番又は第二蝶番が取り付けられていない辺である縦辺の長さが、前記横片の長さより、前記脚部を構成する板材の厚み１枚分短い第二天板部であり、
前記第二天板部以外の前記天板部のうち少なくとも一つは、前記縦辺の長さが前記横片の長さより、前記脚部を構成する板材の厚み１枚分長い第三天板部であり、
前記第二天板部及び第三天板部以外の前記天板部は、全て、縦辺の長さが横辺の長さと等しい前記第一天板部である折り畳み式テーブル。
【請求項６】
請求項５に記載の折り畳み式テーブルであって、
前記第二天板部及び第三天板部に隣接する前記脚部は、前記両端ネジを挿入するための貫通孔である第二挿入孔を有することを特徴とする折り畳み式テーブル。
【発明の詳細な説明】
【技術分野】
【０００１】
本発明は、組み立て方によって、種々の形態に変形できる折り畳み式テーブルに関する。
【背景技術】
【０００２】
収納時の収納性および使用時の快適性を両立させたテーブルとして、折り畳み式テーブルが知られている。一般に折り畳み式テーブルは、天板が複数の部分に分割され、各部分が蝶番を介して接続されることによって折り畳みを可能としている。例えば、特許文献１に開示された折り畳み式テーブルは、天板が４つの天板素子からなり、各天板素子には折り畳み可能な脚構造が備えられている。この構成により、脚を折り畳んだ状態で、天板を４つ折りにして収納することができる。また、特許文献２には、天板を２つ折りより多回数折り畳むことができる、円形天板の中央部に開口を備えた折り畳み式テーブルが開示されている。どちらの折り畳み式テーブルも、使用時の天板の面積をより大きく、収納時にはより小さくできるよう構成されている。このようなテーブルは、運搬性や携帯性に優れており、野外で用いるのに好適である。
【先行技術文献】
【特許文献】
【０００３】
【特許文献１】特開２０１５−５３９９２号公報
【特許文献２】特開２０１６−８７１２２号公報
【発明の概要】
【発明が解決しようとする課題】
【０００４】
しかしながら、従来の折り畳み式テーブルは、折り畳む目的が、収納時に、使用時の状態よりコンパクトな状態にできることに限定され、使用時の状況の多様性は考慮されていなかった。このため、場所・人数・使用用途に対して臨機応変に対応することが困難であるという問題点があった。
【０００５】
本発明は、このような事情に鑑みてなされたものであり、その主な目的は、組み立て方によって、種々の形態に変形できる折り畳み式テーブルを提供することにある。
【課題を解決するための手段】
【０００６】
本発明の第１の側面に係る折り畳み式テーブルは、矩形の板材よりなる天板部と、該天板部の対向する一組の辺のそれぞれに取り付けられた第一蝶番及び第二蝶番と、前記天板部の一辺に前記第一蝶番によって回動可能に接続された矩形の板材よりなる土台部と、前記天板部の前記土台部が接続された辺と対向する辺に前記第二蝶番によって回動可能に接続された矩形の板材よりなる脚部とを備える机要素と、前記机要素同士を回動可能に接続するための部材である第三蝶番と、をそれぞれ複数備え、前記第三蝶番は、前記土台部の前記第一蝶番が取り付けられている辺に直交する辺に取り付けられ、前記机要素同士は、前記天板部同士、前記土台部同士及び前記脚部同士がそれぞれ一直線上に並ぶよう配された状態で、前記第三蝶番によって、回動可能に接続されていることを特徴としている。前記構成により、各蝶番が取り付けられた辺における折り曲げ方を変えることで、テーブルの形状を多様に変化させることが可能となる。さらに、天板部・脚部・土台部が蝶番によって回動可能に接続されることによって、天板部・脚部・土台部を折り畳むだけで、容易に収納することが可能となる。
【０００７】
また、本発明の第２の側面に係る折り畳み式テーブルは、さらに、両端にネジをきった棒状の部材である両端ネジと、該両端ネジのネジ部に螺合するナットと、を備え、前記土台部は、全て、前記両端ネジを挿入するための貫通孔である第一挿入孔を有することを特徴としている。前記構成により、土台部同士が重なり合うよう組み立てられた際に、土台部に設けられた第一挿入孔に両端ネジを挿入し、両端ネジの両端にナットを嵌め込み締めることで、土台部同士を固定することができる。
【０００８】
さらにまた、本発明の第３の側面に係る折り畳み式テーブルは、さらに、柱状部材であって、その側面部は、互いに直交し隣接する２平面を有し、前記平面のそれぞれに凸状形状を有する土台補助材を備え、前記土台部は、所定の厚みを有し、前記第三蝶番が取り付けられた辺及び前記第三蝶番が取り付けられた辺に平行な辺のそれぞれに対応する断面に、前記土台補助材の凸状形状に嵌合される凹状形状を有することを特徴としている。前記構成により、両端の机要素同士を接続することができるとともに、土台部同士のなす角を９０度で固定することができる。
【０００９】
さらにまた、本発明の第４の側面に係る折り畳み式テーブルは、前記天板部は、全て、合同な正方形の板材からなる第一天板部であることを特徴としている。
【００１０】
さらにまた、本発明の第５の側面に係る折り畳み式テーブルは、前記天板部、土台部及び脚部を構成する板材は、全て、所定の厚みを有し、前記天板部は、全て、第一蝶番又は第二蝶番が取り付けられている辺である横辺の長さが等しく、前記天板部のうち少なくとも一つは、第一蝶番又は第二蝶番が取り付けられていない辺である縦辺の長さが、前記横片の長さより、前記脚部を構成する板材の厚み１枚分短い第二天板部であり、前記第二天板部以外の前記天板部のうち少なくとも一つは、前記縦辺の長さが前記横片の長さより、前記脚部を構成する板材の厚み１枚分長い第三天板部であり、前記第二天板部及び第三天板部以外の前記天板部は、全て、縦辺の長さが横辺の長さと等しい前記第一天板部であることを特徴としている。前記構成により、机要素が４つ組み合わされた折り畳み式テーブルの場合、上面視において、４つの机要素の土台部がそれぞれ正方形の一辺を担うよう組み立てられた際に、第二天板部を有する机要素の板材を裏返し、４つの土台部からなる正方形の隙間を埋めるように挿入することで、テーブルをＴ字型に組み立てることができる。また、同様の際に、第三天板部を有する机要素と対向する位置の机要素の板材を裏返し、４つの土台部からなる正方形の隙間に天板部と脚部を収納した上で、第三天板部を有する机要素の板材を、裏返すことによって４つの土台部からなる正方形の隙間の上に被せることで、天板部３つ分の長方形のテーブルを組み立てることができる。
【００１１】
さらにまた、本発明の第６の側面に係る折り畳み式テーブルは、前記第二天板部及び第三天板部に隣接する前記脚部は、前記両端ネジを挿入するための貫通孔である第二挿入孔を有することを特徴としている。前記構成により、土台部と脚部とが重なり合うよう組み立てられた際に、土台部に設けられた第一挿入孔と脚部に設けられた第二挿入孔とを一度に貫くように両端ネジを挿入し、両端ネジの両端にナットを嵌め込み締めることで、土台部と脚部とを固定することができる。
【発明の効果】
【００１２】
本発明によれば、組み立て方によって、種々の形態に変形できる折り畳み式テーブルを提供することができる。
【図面の簡単な説明】
【００１３】
【図１】本発明を適用した第一実施例に係る折り畳み式テーブルを平らに広げた状態を示す構成図である。
【図２】本発明を適用した折り畳み式テーブルの付属部品を示す図である。
【図３】本発明を適用した折り畳み式テーブルの土台補助材の使用方法の説明図である。図３Ａは、土台部同士を直角に組み立てた際に、土台部の断面に土台補助材が取り付けられた様子を表す図であり、図３Ｂは、土台部同士が重なるように組み立てた際に、土台部の断面に土台補助材が取り付けられた様子を表す図である。
【図４】本発明を適用した第一実施例に係る折り畳み式テーブルを正方形型に組み立てた状態を示す図である。
【図５】本発明を適用した第一実施例に係る折り畳み式テーブルを十字型に組み立てた状態を示す図である。
【図６】本発明を適用した第一実施例に係る折り畳み式テーブルをＴ字型に組み立てた状態を示す図である。
【図７】本発明を適用した第一実施例に係る折り畳み式テーブルを長方形型に組み立てた状態を示す図である。
【図８】本発明を適用した第一実施例に係る折り畳み式テーブルの収納時の状態を示す図である。
【発明を実施するための形態】
【００１４】
以下、本発明を適用した具体的な実施の形態について、図面を参照しながら詳細に説明する。
（第一実施例）
【００１５】
本発明を適用した第一実施例に係る折り畳み式テーブル１を平らに広げた状態を示す構成図を図１に示す。
（折り畳み式テーブル１の構成）
【００１６】
折り畳み式テーブル１は、図１に示すように、例えば４つの机要素１１が、３つの第三蝶番５３によって回動可能に接続されてできたテーブルである。机要素１１は、天板部２、土台部３及び脚部４とそれらを接続させる蝶番から構成される。天板部２の一辺と、土台部３の一辺とは第一蝶番５１によって接続され、天板部２の土台部３が接続された辺と対向する辺と、脚部４の一辺とは第二蝶番５２によって接続されている。
【００１７】
天板部２、土台部３及び脚部４は、矩形の板材からなり、プラスチック、木材などで製造可能である。また、板材の厚みは蝶番を取り付けるのに適した厚みであればよい。
（折り畳み式テーブル１の付属部品）
【００１８】
折り畳み式テーブル１の付属部品を、図２に示す。図２Ａは両端ネジ６１を、図２Ｂは両端ネジ６１のネジ部に螺合するナット６２を、図２Ｃは土台補助材７を示している。
【００１９】
両端ネジ６１は、図２Ａに示すように、両端にネジをきった丸棒の部材から成り、両端のネジをきった部分を除いた長さは、およそ土台部３の厚み２枚分である。両端ネジ６１は、プラスチック、金属、木材などで製造可能である。
【００２０】
ナット６２は、図２Ｂに示すように、工具を使用せず手で締めたり緩めたりできるナット（蝶ナット）であり、プラスチック、金属などで製造可能である。
【００２１】
土台補助材７は、図２Ｃに示すように、土台部３の厚み２枚分を長さとし、一辺の長さが土台部３の厚み１枚分である正方形を底面とする柱状部材であって、隣接する２つの側面のそれぞれには、板状の凸状形状が２個、長手方向に一列に並ぶよう設けられている。土台補助材７は、プラスチック、木材などで製造可能である。
（天板部２）
【００２２】
天板部２において、第一蝶番５１又は第二蝶番５２が取り付けられた辺を横辺、横辺と直交する辺を縦辺とすると、４つの天板部２の横辺の長さは全て等しく、４つのうち２つの天板部２は、横辺と縦辺の長さが等しい正方形の板材からなる第一天板部２１である。また、残りの２つの天板部２のうち一方は、縦辺の長さが横辺の長さより脚部４を構成する板材の厚み１枚分短い第二天板部２２であり、もう一方は縦辺の長さが横辺の長さより脚部４を構成する板材の厚み１枚分長い第三天板部２３である。さらに、第一天板部２１同士は、間に別種の天板部２を１つ挟むように配されており、例えば一方の端より、第一天板部２１、第二天板部２２、第一天板部２１、第三天板部２３の順で配されている。
（土台部３）
【００２３】
土台部３は、中央に、両端ネジ６１を挿入するための貫通孔である第一挿入孔３１を有する。また、土台部３において、第三蝶番５３が取り付けられた辺の向きを縦方向とすると、全ての土台部３の縦辺に対応する断面には、板材の厚み方向の中心部に、土台補助材７の凸状形状を縦向き（図３Ａ、図５〜７に示される向き）に嵌合できる幅及び深さを有し、断面の上端から伸びる縦に長い溝と、この溝に直交する、土台補助材７の凸状形状を横向き（図３Ｂ、図４に示される向き）に嵌合できる幅、深さ及び長さを有する短い溝からなる凹状形状が設けられている。
（脚部４）
【００２４】
第二天板部２２及び第三天板部２３に隣接する脚部４は、中央に、両端ネジ６１を挿入するための貫通孔である第二挿入孔４１を有する。
（蝶番）
【００２５】
第一蝶番５１、第二蝶番５２および第三蝶番５３は、接続する部材同士のなす角を０度から３６０度まで変形させることができる屏風蝶番であることが望ましい。
（折り畳み式テーブル１の使用方法）
【００２６】
本発明を適用した第一実施例に係る折り畳み式テーブル１の使用方法例として、主要な５つを以下に説明する。
（１．正方形型）
【００２７】
天板部２と土台部３とのなす角、及び、天板部２と脚部４とのなす角がそれぞれ９０度になるよう、蝶番を支点に板材の角度を調整した後、図４に示すように、土台部３同士をそれぞれ重ねあわせるように組み立てることで、正方形型のテーブルにすることができる。さらに、凹状形状を有する土台部３の板材に凸状形状を有する土台補助材７を嵌めこみ、第一挿入孔３１に両端ネジ６１を挿入し、ナット６２で両端を留めることで正方形型のテーブルに固定することができる。
（２．十字型）
【００２８】
天板部２と土台部３とのなす角、及び、天板部２と脚部４とのなす角がそれぞれ９０度になるよう、蝶番を支点に板材の角度を調整した後、図５に示すように、上面視において、４つの土台部３がそれぞれ正方形の一辺を担うよう組み立てることで、十字型のテーブルにすることができる。さらに、凹状形状を有する土台部３の板材に凸状形状を有する土台補助材７を嵌めこむことで、テーブルの形状を十字型に固定することができる。
（３．Ｔ字型）
【００２９】
図５に示すような十字型のテーブルにした後、図６に示すように、４つの土台部３によって形成される隙間に、第二天板部２２と第二天板部２２に隣接する脚部４とを、第二天板部２２と土台部３とのなす角、及び、第二天板部２２と脚部４とのなす角がそれぞれ２７０度となるよう折り込むことで、Ｔ字型のテーブルにすることができる。さらに、折り畳んだ脚部４の第二挿入孔４１と第一挿入孔３１に両端ネジ６１を挿入し、ナット６２で両端を留めることでＴ字型のテーブルに固定することができる。
（４．長方形型）
【００３０】
図５に示すような十字型のテーブルにした後、図７に示すように、４つの土台部３によって形成される隙間に、第二天板部２２と第二天板部２２に隣接する脚部４とを折り畳んで収納し、その上から、第三天板部２３と第三天板部２３に隣接する脚部４とを、第三天板部２３と土台部３とのなす角、及び、第三天板部２３と脚部４とのなす角が２７０度となるよう折り被せることで、長方形型のテーブルにすることができる。さらに、脚部４の第二挿入孔４１と第一挿入孔３１に両端ネジ６１を挿入し、ナット６２で両端を留めることで長方形型のテーブルに固定することができる。
（５．収納時）
【００３１】
図１に示すように全ての天板部２、土台部３及び脚部４を平らに広げたあと、図８に示すように、天板部２と脚部４とのなす角が０度となるよう折り畳み、３つある第三蝶番５３のうち中央に位置する第三蝶番５３を支点として、折り畳み式テーブルを半分に折り畳むことで収納することができる。例えば、第一天板部２１、土台部３、脚部４の板材の寸法を全て縦４５ｃｍ、横４５ｃｍ、厚み２ｃｍとしたとき、正方形型テーブルとして使用時の体積が約４０００００ｃｍ３となるのに対し、収納時の体積が約６５０００ｃｍ３となり、１／６程度に体積を減じることができる。このように、テーブルの型毎に体積を計算して収納時の体積と比較すると、テーブルの体積は、収納時の形態に折り畳むことによって、テーブルとして使用時の体積に比べて、１／７〜１／４程度に減少させられることがわかる。
【００３２】
なお、折り畳み式テーブル１において、各蝶番が接続する部材同士のなす角は、０度から３６０度の間で任意の角度とすることができるため、使用方法は上記方法に限定されず、使用状況に合わせて多様な形に組み立てることが可能である。
（第二実施例）
【００３３】
第一実施例では、折り畳み式テーブル１を、第一天板部２１、第二天板部２２及び第三天板部２３の３種類の天板部２を組み合わせた構成としたが、第二実施例では、折り畳み式テーブルの天板部２を全て第一天板部２１とする。
【００３４】
この構成では、天板部の大きさが隙間に適合していないため、Ｔ字型や長方形型に組むことはできないが、正方形型や十字型については第一実施例と同様に組み立てることが可能であり、さらに、全ての天板部２が合同な正方形であるため、テーブル全体に統一感がもたらされる。また、収納時も、第一実施例と同様に折り畳むことが可能である。さらに、使用状況に合わせて多様な形に組み立てることが可能であることについても、第一実施例と同様である。
【００３５】
なお、本発明は前述した実施の形態のみに限定されるものではなく、本発明の要旨を逸脱しない範囲において種々の変更が可能であることは勿論である。
【産業上の利用可能性】
【００３６】
本発明に係る折り畳み式テーブルは、場所・人数・使用用途に対して臨機応変に対応しなければならない野外において好適に使用できる。
【符号の説明】
【００３７】
１      折り畳み式テーブル
１１    机要素
２      天板部
２１    第一天板部
２２    第二天板部
２３    第三天板部
３      土台部
３１    第一挿入孔
４      脚部
４１    第二挿入孔
５１    第一蝶番
５２    第二蝶番
５３    第三蝶番
６１    両端ネジ
６２    ナット
７      土台補助材
【図１】
2018158061.tif 000003
【図２】
2018158061.tif 000004
【図３】
2018158061.tif 000005
【図４】
2018158061.tif 000006
【図５】
2018158061.tif 000007
【図６】
2018158061.tif 000008
【図７】
2018158061.tif 000009
【図８】
2018158061.tif 000010